(57)【要約】      （修正有）【課題】ビデオ／写真機材用の支持三脚を提供する。【解決手段】三脚台と、ビデオ／写真機材に連結する手段を備え、三脚台において規定される開口内でスライド軸Ｚに沿ってスライド可能である支柱８と、三脚を開閉するように三脚台に対して第１ヒンジ留め端部でヒンジ留めされた複数の脚部であって、それぞれの脚部が長手軸に沿って主として伸びる本体を備えており、長手軸に対してほぼ垂直なヒンジ留め軸の回りで回転可能であり、脚部がスライド軸Ｚと実際上平行に配列された閉じた構成Ｗと、脚部が所望の開口角度までスライド軸Ｚに対して傾斜された少なくとも１つの動作構成との間で移動されるように三脚台を貫通しており、それぞれの脚部がスライド軸Ｚに対する脚部の角度位置を調節するための調節装置を設けられている複数の脚部とを備え、調節装置は、三脚台に設けられた位置決め装置と、脚部に設けられるとともに、三脚台に対して移動可能であるロック装置とを備える。【選択図】図２
0003220743.tif 000002
【実用新案登録請求の範囲】
【請求項１】
ビデオ／写真機材用の支持三脚（１）であって、
三脚台（２）と、
ビデオ／写真機材を連結する手段を備え、前記三脚台（２）において規定される開口（７）内でスライド軸（Ｚ）に沿ってスライド可能である支柱（８）と、
前記三脚（１）を開閉するように前記三脚台（２）に対してヒンジ留め端部（４Ａ）でヒンジ留めされた複数の脚部（４）であって、それぞれの脚部（４）は長手軸（Ｙ）に沿って主として伸びる本体を備えており、前記長手軸（Ｙ）に対してほぼ垂直であるヒンジ留め軸（Ｘ）の回りに回転可能であり、前記脚部（４）が前記スライド軸（Ｚ）と実際上平行に配列された閉じた構成（Ｗ、Ｗ′）と、前記脚部が所望の開口角度（α、α１、α２、α３）まで前記スライド軸（Ｚ）に対して傾斜された少なくとも１つの動作構成（Ｋ、Ｋ１、Ｋ２、Ｋ３）との間で移動されるように前記三脚台（２）を貫通しており、それぞれの脚部（４）は前記スライド軸（Ｚ）に対する前記脚部（４）の角度位置を調節するための調節装置（３０）を設けられている複数の脚部と、
を備え、
前記調節装置（３０）は、前記三脚台に設けられた位置決め装置（２０）と、前記脚部（４）に設けられるとともに、前記スライド軸（Ｚ）に対して所望の角度位置（α）で前記脚部（４）をロックするために前記位置決め装置（２０）に係合するように前記三脚台（２）に対して移動可能であるロック装置（５０）とを備え、
前記ロック装置（５０）は、回転の前記軸（Ｘ）に対して横断する前記脚部（４）の側方面（Ｓｌ）で前記第１ヒンジ留め端部（４Ａ）に設けられた作動エレメント（５１、５２、５３）を備え、
前記作動エレメントは、前記脚部（４）をロック／解除するために前記位置決め装置（２０）に対して前記ロック装置（５０）を動かすように前記脚部（４）の長手軸（Ｙ）に沿って並進運動方法で移動可能であることを特徴とする支持三脚。
【請求項２】
請求項１記載の支持三脚において、
前記脚部（４）は、前記本体（４０）に嵌合されるとともに、前記三脚台（２）に対して前記脚部（４）のヒンジ留めを可能にするよう意図されたヒンジ留めスリーブ（１３）、
前記ヒンジ留めスリーブ（１３）は、円筒状基部（１４）と、前記脚部（４）の前記長手軸（Ｙ）に沿って前記円筒状基部（１４）から伸びる２つのアーム（１７）とを備え、
前記アーム（１７）は、フォーク状の本体を規定するように互いに対向し、前記ヒンジ留めスリーブ（１３）の前記側方面（Ｓｌ）を規定する、支持三脚。
【請求項３】
請求項１または２に記載の支持三脚において、
前記調節装置（３０）は、前記脚部（４）が前記スライド軸（Ｚ）と実際上平行に配列されるとともに前記脚部（４）および前記支柱（８）が前記三脚台（２）の反対側に位置決めされた閉じた構成（Ｗ′）と、前記支柱（８）が前記脚部（４）によって占有された空間内に位置決めされた閉じた運搬構成（Ｗ）との間で前記脚部（４）を回転可能であるように意図され、
前記脚部（４）は、前記閉じた構成（Ｗ′）と前記閉じた運搬構成（Ｗ）との間で約１８０度まで回転される、支持三脚。
【請求項４】
請求項１〜３の何れか一項に記載の支持三脚（１）において、
前記位置決め装置（２０）は、前記三脚の前記少なくとも１つの動作構成を規定する少なくとも１つの位置決めエレメント（２１）を備え、当該動作構成では前記閉じた運搬構成（Ｗ）において前記脚部（４）の位置から測定される１８０度未満、好適には９０度から１８０度の角度（α）まで前記スライド軸（Ｚ）に対して前記脚部（４）が傾斜されている、支持三脚。
【請求項５】
請求項１〜４の何れか一項に記載の支持三脚（１）において、
前記位置決め装置（２０）は、前記三脚台（２）の回りに前記ヒンジ留め部分（４Ａ）の回転方向に沿って円周上に互いに後に続くとともに、前記三脚（１）の異なる動作構成（Ｋ１、Ｋ２、Ｋ３）を規定する複数の位置決めエレメント（２１）を備えている、支持三脚。
【請求項６】
請求項４または５に記載の支持三脚（１）において、
前記少なくとも１つの位置決めエレメント（２１）は、前記閉じた運搬構成（Ｗ）から離れて回転されるとき前記ロック装置（５０）を前記位置決め装置（２０）に亘ってスライド可能であるように成形された近接壁（２２）と、前記閉じた運搬構成（Ｗ）に向けての回転を阻害するために前記ロック装置（５０）が前記位置決め装置（２０）に亘ってスライドするのを防止するように成形された対向末端壁（２３）とを備えている、支持三脚。
【請求項７】
請求項４〜６の何れか一項に記載の支持三脚（１）において、
前記ロック装置（５０）は、前記脚部（４）を解放／ロックするために前記少なくとも１つの位置決め装置（２１）と係合／非係合するように前記長手軸（Ｙ）に沿って移動され得る連結歯状突起（６０）を備えている、支持三脚。
【請求項８】
請求項１〜７の何れか一項に記載の支持三脚（１）において、
前記作動エレメント（５１）は、前記脚部（４）の前記側方面（Ｓｌ）に設けられた少なくとも１つの作動ボタン（５２）と、前記作動ボタン（５２）と一緒に動くとともに、前記位置決めエレメント（２１）から離れて前記脚部を動かすために前記連結歯状突起（６０）を設置するよう意図された連結エレメント（５３）とを備えている、支持三脚。
【請求項９】
請求項１〜８の何れか一項に記載の支持三脚（１）において、
前記連結エレメント（５３）と前記連結歯状突起（６０）は、成形連結方法で連結されるとともに、前記作動エレメント（５１）と前記連結歯状突起（６０）が前記長手軸（Ｙ）に沿って並進運動中に一体化するように構成されたスラスト面（５４、６３）をそれぞれ設けられている、支持三脚。
【請求項１０】
請求項７〜９の何れか一項に記載の支持三脚（１）において、
前記連結歯状突起（６０）と前記作動ボタン（５３）は、互いに一体的に形成されている、支持三脚。
【請求項１１】
請求項１〜１０の何れか一項に記載の支持三脚（１）において、
前記作動装置（５１）は、前記三脚台から前記脚部（４）を解放するために前記位置決め装置（２０）から離れて前記ロック装置（５０）を動かすよう意図され、前記ロック装置（５０）は、前記脚部（４）をロックするために前記ロック装置（５０）を前記位置決め装置（２０）との係合に追いやるように配置されたスラスト装置（５６）を備えている、支持三脚。
【請求項１２】
請求項１〜１１の何れか一項に記載の支持三脚（１）において、
前記スラスト装置（５６）は、前記作動装置（５１）から分離している、支持三脚。
【請求項１３】
請求項１０に記載の支持三脚（１）において、
前記スラスト装置（５６）は、前記作動装置（５１）に組み入れられている、支持三脚。
【請求項１４】
請求項１０に記載の支持三脚（１）において、
前記スラスト装置（５６）は、前記連結歯状突起（６０）に組み入れられている、支持三脚。
【請求項１５】
請求項１〜１４の何れか一項に記載の支持三脚（１）において、
前記スラスト装置（５６）は、前記連結歯状突起（６０）と、前記脚部（４）の範囲内で固定されたロケータプレート（５７）とにそれぞれ２つの対向する端部で固定されたスプリング（５５）を備えている、支持三脚。
【考案の詳細な説明】
【技術分野】
【０００１】
本考案は、特に、主請求項のプリアンプル（前提）で言及された特徴を有する支持三脚であるが、ビデオ／写真機材を支持するよう意図されることに限定されない支持三脚に関する。
【背景技術】
【０００２】
写真の技術分野では、写真機材を支持するスタンドの使用は、アマチュアおよびプロフェッショナルのレベルの両方で広く知られており、当該スタンドのうち三脚は特に普及し人気がある。三脚は概して複数の脚部を備え、当該脚部は通常、支柱がスライド可能なように係合された三脚台に対して伸縮自在かつ全てヒンジ留めされている。支柱の一端部には写真機材が固定されている。
【０００３】
使用の分野では、三脚は正反対の特徴、すなわち、操作段階では三脚の位置決めおよび最大延長という高いフレキシビリティ（可撓性、柔軟性）を持つよう、それに反して、使用者による前記三脚の運搬を容易にするために閉じた状態（姿勢）では小型性（コンパクト性）を持つよう要求される。
【０００４】
上述の要求を満足させるために、使用中には広げることができるとともに運搬を容易にするためにその閉じた状態では折り畳みできる複数の延長部分を具備する伸縮自在な脚部を持つ三脚が使用されている。
【０００５】
さらに、三脚台に対して支柱をスライド（摺動）することは知られているので、当該三脚台によって占有される全空間を制限するために運搬状態では三脚の脚部の間で支柱は閉じら（閉鎖さ）れている。
【０００６】
この説明において、使用中ではビデオ・写真機材を受け入れるよう意図された支柱の頭部は、三脚の三脚台の上に載って位置決めされ、脚部によって占有される空間の外部に配置されている。
【０００７】
従って、達成され得る、占有された空間内の縮小は制限され、さらに頭部は起こり得る当然のダメージ（損傷）を被る。
【０００８】
本出願人の名前で提出されたＷＯ２００５／０６８８９５は三脚について記述し、当該三脚ではその三脚の頭部が脚部によって占有された空間の内部に位置決めされるように支柱の脚部が閉じられている。
【０００９】
ＷＯ２００５／０６８８９５に記載された三脚の三脚台には、スリーブがそれぞれの支持脚部に設けられ、その支持脚部がフォーク状のエレメントを用いて当該スリーブにヒンジ留めされている。
【００１０】
スリーブの外面には、異なる延長部分を持つ２つの歯状突起が設けられ、スリーブの外面から突出している。
【００１１】
フォークのベース（基部）にはレバーが設けられ、三脚を広げた状態のとき三脚の外部から使用者はそのレバーに手が届き、そのレバーは３つの異なる操作状態の間で移動可能である。その操作状態では、閉じた状態と、脚部が三脚台に対して予め設定された角度にバラバラに広げられた２つの異なる操作状態とにおいて三脚を位置決めするために、レバーはスリーブの外面と、第１歯状突起と、第２歯状突起とにそれぞれ接触している。
【００１２】
この三脚の１つの欠点は、使用者によって把持されるために、三脚台によって占有された空間に対してレバーが外方へ突出していることである。その結果、レバーは偶発的にぶつけられて動かされ、三脚の意図しない動きの原因となりまたは損傷（ダメージを受け）もしくは破壊され得る。さらに、レバーは、運搬中または使用中に絡まった状態になり、もしかすると損傷を受け、および／または三脚の意図しない動きを引き起こし得る。
【００１３】
本出願人の名前でのＷＯ２０１４０９０５３４は三脚について記載し、当該三脚ではその三脚の頭部が脚部によって占有された空間の内部に位置決めされるように支柱の脚部が閉じられている。
【００１４】
ＷＯ２０１４０９０５３４に記載された三脚のそれぞれの脚部のヒンジ留め端部には、操作ハンドルを具備した調節ヘッドが設けられ、そのヘッドは、脚部の軸の回りに回転可能であるとともに、脚部の長さを変えるため、従って、ヒンジ留め端部と三脚台との間の干渉を改めるため長手軸の回りの回転の結果として脚部に対して長手軸に沿って平行移動可能である。
【００１５】
さらに、ヘッドは、使い方において２つの望ましい構造で三脚を安定して位置決めさせるように成形されている。
【００１６】
そのような三脚の欠点は、その位置決めがデリケートである（扱いにくい）こと、および、当該位置決めが反直感的であるので使用者の側のある程度の専門的技術を必要とすることである。
【００１７】
さらに、ＷＯ２０１４／０９０５３４の三脚に設けられた調節装置は、偶発的な衝撃により損傷を受けるリスクを有する。
【考案の概要】
【考案が解決しようとする課題】
【００１８】
本考案の中心にある問題は、公知の先行技術に対して上述の制限を克服するように構造的および操作的に設計された写真機材用の開閉可能な三脚を創作することの問題である。
【００１９】
この問題の背景には、考案の目的の１つが、位置決めするのに簡単であり、それと同時に固定するのに簡単である三脚を創作する（生み出す）ことである。
【００２０】
別の目的は、調節装置を設けられた開閉可能な三脚を提供することであり、当該調節装置は、同時に使用するのに容易でありその三脚の正確な位置決めを可能にする。
【００２１】
別の目的は、閉じた状態から使用形状（配置）へ容易かつ素早く動かし（移動され）得る三脚を提供することである。
【００２２】
別の目的は、調節装置を設けられた開閉可能な三脚を提供することであり、当該調節装置は、その三脚の上で構成され位置決めされるため頑丈である。
【課題を解決するための手段】
【００２３】
後述する請求項に従ってなされた開閉可能な三脚を用いて、この問題を解決し、この目的を達成する。
【００２４】
注目すべきことは、後述する説明および請求項では、用語「三脚」は、複数の脚部が関節状に連結された三脚台を設けられたスタンドを指し示すよう意図されているが、３本または３本以外の本数でさえ可能である脚部の本数に関して特定の制限はないことである。
【図面の簡単な説明】
【００２５】
本考案の特徴および利点は、以下の添付図面を参照して限定されない例によって与えられる好適な実施の形態の１つの詳細な説明からもっと明確に現れるだろう。
【図１】閉じた運搬構成において本考案に従って作られた三脚の正面図である。
【図２】明瞭にするために幾つかの部品を取り外した状態で図１の三脚の詳細な断面図である。
【図３】明瞭にするために幾つかの部品を取り外した状態での動作構成における図１の三脚の上面図である。
【図４】明瞭にするために幾つかの部品を取り外した状態での動作構成における図１の三脚の正面図である。
【図５】調節装置の異なる構成における図４の三脚の詳細な断面図である。
【図６】本考案の三脚における三脚台の斜視図である。
【図７】付加的な閉じた構成における本考案の三脚の詳細な断面図である。
【図８】本考案の三脚の可能な構成が概略的に示された図７と類似する図である。
【図９】三脚のロック装置の２つの異なる位置を具備する動作構成における本考案の三脚の詳細な断面図である。
【図１０】三脚のロック装置の２つの異なる位置を具備する動作構成における本考案の三脚の詳細な断面図である。
【考案を実施するための形態】
【００２６】
図において、１は本考案に従って作られた三脚を全体として示す。
【００２７】
三脚１は、図６でさらに詳細に示される三脚台２を備え、その三脚台は、適切なリンクエレメント１２を用いて相互に関連付けられるとともにリンク（結合）された２つのハーフシェル２Ａ、２Ｂによって形成されている。図示された説明では、複数のネジ１２が使用されている。
【００２８】
第１ハーフシェル２Ａと第２ハーフシェル２Ｂは、複数のヒンジ留め付属物３を規定するように成形され、ヒンジ留め付属物のそれぞれには対応するヒンジ留め部分４Ａを用いて脚部４がヒンジ留めされている。
【００２９】
第１および第２ハーフシェル２Ａ、２Ｂは、それぞれのヒンジ留め付属物３で、ヒンジピン６用の台座５を規定するように成形され、そのヒンジピンは、三脚台２に対してそれぞれの脚部４の回転を可能にするように回転軸Ｘの回りで回転可能である。
【００３０】
有利には、台座５は円筒状である。
【００３１】
さらに、第１および第２ハーフシェル２Ａ、２Ｂは、三脚台２の貫通孔７を規定するように成形され、その貫通孔は、スライド係合において三脚１の支柱を受け入れるよう意図されている。
【００３２】
支柱８は、その第１端部で、不図示のビデオ／写真機材すなわちその支持ヘッドをプレート９に、従って、支柱８に据付ける（しっかりと固定する）装着手段を設けられたプレート９を有する。
【００３３】
プレート９および／または装着手段は、その分野の範囲内で知られた方法の１つで製造され得る。
【００３４】
支柱８は、プレート９と三脚台２との間の距離を変えるように、すなわち、三脚１によって占有された空間および／またはビデオ／写真機材の位置合わせ高さを変えるように、Ｚ軸に沿って開口７の中へスライド（摺動）され得る。
【００３５】
さらに、三脚台２は、円筒状カラー１０を設けられ、その円筒状カラーは、２つのハーフシェル２Ａ、２Ｂの一方に一体化し、Ｚ軸に沿って伸び、三脚台２の開口７を規定する。
【００３６】
ロック（係止）リングナット１０Ａはネジ留めされ、または、別の方法でカラー１０に固定されている。
【００３７】
三脚１の脚部４は構造的および動作的に同一であるので、簡略にするためにそれらの１つだけが後述されるだろう。
【００３８】
三脚１のそれぞれの脚部４は、地面すなわち所望の静止面の上にある端部４Ｂと、脚部４が三脚台２にヒンジ留めされた対向ヒンジ端部４Ａとの間で長手軸Ｙに沿って伸びるほぼ管状の本体４０を有する。
【００３９】
好適には、三脚１のそれぞれの脚部４は、その伸長が可変であるように伸縮自在であり、そして、管状の本体４０の内部に同心的に挿入可能であるとともに、その長手軸Ｙに沿って脚部４の長さを縮小または増大するために管状の本体４０から外へスライド可能である複数の延長部分４１を備えている。
【００４０】
それぞれの延長部分４１は、それぞれの脚部４の長さをロックするように、それぞれのロック手段４２を用いて脚部４に対して所望の位置でロック可能である。
【００４１】
さらに、それぞれの脚部４は、筒状の本体４０に嵌合されて三脚台２に対する脚部４のヒンジ留めを可能にするよう意図されたヒンジ留めスリーブ１３を備えている。
【００４２】
ヒンジ留めスリーブ１３は円筒状基部１４と調節室１８とを備え、当該円筒状基部は、内部で中空であり、脚部４の筒状の本体４０を挿入する空洞（チャンバー）１５を規定し、延長部分４１の端部を収容するよう意図されており、当該調節手段は、長手軸Ｙの方向へ空洞１５に隣接し、空洞１５よりも三脚台２により近くなっている。
【００４３】
調節室１８は、以下でより適切に説明されるように、ロック装置５０を収容するよう意図されている。
【００４４】
空洞１５の開口を縮小するために、空洞１５と調節室１８との間には円筒状部分１４の内部へ突出する接触エレメント１６がある。
【００４５】
接触エレメント１６により、接触エレメント１６を超えてヒンジ留めスリーブ１３の中へ挿入され得ないようなサイズを持つ筒状の本体４０の挿入をロックすることが可能になる。
【００４６】
ヒンジ留めスリーブはまた、脚部４の長手軸Ｙに沿って円筒状基部１４から伸び、フォーク状のボディーを規定するように互いに対向する２つのアーム１７を備えている。
【００４７】
ピン６は、アーム１７の自由端部の間、すなわち、円筒状基部１４に対向するアーム１７の端部の間に伸びており、三脚台２の台座５内で回転可能であるとともに脚部４のヒンジピン６として働き得るような当該ピンは、収容されるように成形されている。
【００４８】
有利には、ヒンジピン６は円筒状であり、その２つの長手方向底部対向面は２つのフォーク状のアーム１７に固定されている。
【００４９】
２つのフォーク状のアーム１７は、それぞれのヒンジ留めスリーブ１３の側方面「Ｓｌ」すなわち回転軸Ｘに対して横へ対向する面を構成している。
【００５０】
２つのアーム１７が互いに対向する場合、図示された説明では、側方面「Ｓｌ」が回転軸Ｘに対して垂直に配列され、その回転軸Ｘは、図示された説明では、円筒状のヒンジピン６の長手軸Ｘに相当する。
【００５１】
三脚１はまた、以下でより適切に説明されるように、回転軸Ｘの回りの脚部４の回転において三脚台２に対する脚部４の角度位置を調節するために脚部４の調節装置３０を備えている。
【００５２】
調節装置３０は、三脚台２のスライド軸Ｚに対する脚部４の角度位置２、すなわち、スライド軸Ｚに対する脚部４の開口角度αを調節するよう意図されている。
【００５３】
それぞれの脚部４は、閉じた運搬構成Ｗと閉じた構成Ｗ′との間で少なくとも約１８０度の開口角度αまで三脚台２に対して回転可能であり、図１および図２で示された当該閉じた運搬構成Ｗでは脚部４が実際上（実質的に）相互にかつ軸Ｚに平行に配列され、支柱８およびプレート９が脚部４によって占有された空間の内部に位置決めさており、図７で部分的に示された当該閉じた構成Ｗ′では脚部４が実際上相互にかつ軸Ｚに平行に配列され、脚部４と支柱８のプレート９とが三脚台２に対して反対側に位置決めされている。
【００５４】
閉じた運搬構成Ｗは、明瞭にするために以下では、脚部４が開口角度α′＝０度、すなわち、三脚台２を貫通する軸Ｚに平行に配置された状態として、従って、閉じた構成Ｗ′では脚部４が開口角度α″＝１８０度で位置決めされている状態として検討されている。
【００５５】
要するに、閉じた構成Ｗ′では、脚部４は実際上つねに、軸Ｚに平行であるとともに閉じた運搬構成Ｗにおける前記脚部の位置に関して軸Ｘに対して対称位置にある。
【００５６】
調節装置３０はまた、上述の２つの閉じた構造Ｗ、Ｗ′に加えて、少なくとも１つの中間動作構成Ｋにおいてもまた脚部４を位置決め可能であるようにし、当該中間動作構成Ｋでは脚部４が軸Ｚに対して広げられた状態であり、１８０度より小さい、好適には９０度より大きい開口角度まで前記軸に対して傾斜されている。
【００５７】
この開口角度αは、上述されたように、閉じた運搬構成Ｗから測定される。
【００５８】
図示された説明では、調節装置３０は、図８で概略的に示された３つの異なる中間動作構成Ｋ１、Ｋ２、Ｋ３において脚部４を位置決め可能であるようにし、当該３つの異なる中間動作構成では脚部４が、軸Ｚに対して測定された３つの異なる開口角度α１、α２、α３で広げられた状態（位置）である。
【００５９】
しかしながら、本考案の三脚の他の説明には、２つの閉じた構成Ｗ、Ｗ′の間に異なる数の中間動作構成Ｋにおいて脚部４を位置決め可能であるように成形された調節装置３０が含み得る。
【００６０】
調節装置３０は、三脚台上に設けられるとともに、三脚台２に対して脚部４の様々な可能な中間動作構成を規定するよう適応された位置決め装置２０を備えている。
【００６１】
それぞれの中間動作構成Ｋでは、脚部４は三脚台２に対して順番にロックされ、三脚台２に対する脚部４の開口角度を低減するよう意図された所望の動作構成Ｋに対する脚部４の回転は防止される。
【００６２】
従って、これは、三脚および／またはそれに接続された機材の重さにより、予め選択された動作構成から三脚が動くことを防止する。
【００６３】
調節装置３０はまたロック装置５０を備え、当該ロック装置は、脚部４に設けられるとともに、以下でより適切に説明されるように、三脚台２に対して脚部４をロック（係止）／解除するために位置決め装置２０と係合／非係合（に係合／から非係合）するように三脚台２に対して移動可能ある。
【００６４】
ロック装置５０が位置決め装置２０に係合されたとき、脚部４は三脚台２に対して順番にロックされ、図８の矢印Ｆ２の方向へのその回転、すなわち、三脚台２に対して脚部４の開口角度αを低減しようとする回転が防止される。
【００６５】
ロック装置５０が位置決め装置２０から解除（非係合）されたとき、脚部４は、図８の矢印Ｆ１およびＦ２の両方向へ、すなわち、以下でより適切に説明されるように、閉じた運搬構成Ｗと閉じた構成Ｗ′との両方に向けて三脚台２に対して自由に回転できる。
【００６６】
位置決め装置２０は複数の位置決めエレメント２１を備え、当該位置決めエレメントは、三脚台２の回りのヒンジ留め部分４Ａの回転方向に沿って円周上に互いに後に続き、脚部４の連続する開放状態（位置）を規定する。
【００６７】
位置決めエレメント２１は、三脚台２に対して脚部４のそれぞれの異なる動作構成Ｋを規定し、当該動作構成のそれぞれは、スライド軸Ｚに対する脚部４の異なる開口角度αを有している。
【００６８】
位置決めエレメント２１の個数および相対位置を変えることにより、三脚１の中間動作構成Ｋの個数と、中間動作構成Ｋのそれぞれにおける脚部４の開口角度αとが変わる。
【００６９】
それぞれの位置決めエレメント２１は近接壁２２と対向末端壁２３を備え、それらの壁は互いに対して傾斜され、それぞれの位置決めエレメント２１の先端２４を規定する。
【００７０】
近接壁２２は、図４および図８の矢印Ｆ１で指し示されるように、閉じた運搬構成Ｗから脚部４の回転においてロック装置５０によって最初に当接される壁を意味する。
【００７１】
それぞれの位置決めエレメント２１の近接壁２２は、ロック装置５０を案内（ガイド）するとともに、ロック装置５０を位置決め装置２０に亘って、すなわち、三脚台２に対して脚部４に亘って摺動（スライド）可能であるように成形されている。
【００７２】
このように、閉じた運搬構成Ｗから離れて脚部４の回転は、以下でより適切に説明されるように可能である。
【００７３】
それぞれの位置決めエレメント２１の末端壁２３は、ロック装置５０が位置決めエレメント２０に亘って摺動するのを防止するように成形されている。
【００７４】
このように、脚部４は、以下でより適切に説明されるように、閉じた運搬構成Ｗに向けて図４および図８の矢印Ｆ２の方向へ回転するのを防止される。
【００７５】
それぞれの位置決めエレメント２１の末端壁２３は、図４で示されるとともに以下でより適切に説明されるように、三脚台２に対する脚部４の回転をロックするためにロック装置５０の連結歯状突起状突起６０の当接面としての機能を果たしている。
【００７６】
図示された説明では、３つの異なる位置決めエレメント２１が設けられ、それらの位置決めエレメントは、図８のＫ１、Ｋ２、Ｋ３によって概略的に示された、三脚台に対して脚部４の３つの異なる動作構成を規定し、当該動作構成ではそれぞれα１、α２、α３によって指し示された傾斜を持つ３つの異なる角度で軸Ｚに対して脚部４が傾斜されている。
【００７７】
位置決めエレメント２１は、第１、第２、または第３動作構成Ｋ１、Ｋ２、Ｋ３において脚部４をロックし、閉じた運搬構成Ｗに向けてその回転を防止し、閉じた構成Ｗ′に向けての反対回転が三脚自身の重さによって防止される。
【００７８】
その結果、第１、第２、第３動作構成Ｋ１、Ｋ２、Ｋ３から、閉じた運搬構成Ｗに向けて脚部４を回転するために、ロック装置５０を作動させてそれを位置決めエレメント２０から解放することが必要である。
【００７９】
ロック装置５０は、脚部４を解放／ロックするために三脚台２から離れて／に向けて長手方向Ｙに沿って移動可能である連結歯状突起６０を備えている。
【００８０】
連結歯状突起６０は、三脚台２に対して脚部４をロックするために位置決め装置２０の位置決めエレメント２１と結合するように成形されている。
【００８１】
連結歯状突起６０は、成形連結方法で位置決めエレメント２１に連結するように成形されている。
【００８２】
連結歯状突起６０は前面ガイド壁６１とロック（係止）壁６２を備え、その前面ガイド壁は、閉じた運搬構成Ｗから閉じた構成Ｗ′に向けて脚部４の回転において三脚台２に対して脚部４のスライドを案内（ガイド）するように成形され、そのロック壁は、三脚台２に対して脚部４をロックするために位置決め装置２０の位置決めエレメント２１に接触するように配置されている。
【００８３】
前面壁６１は、閉じた運搬構成Ｗから閉じた構成Ｗ′に向けて、すなわち、矢印Ｆ１の方向へ脚部４の回転において位置決めエレメント２１に最初に接触するよう意図された連結歯状突起６０の壁を意味する。
【００８４】
それに反して、ロック壁６２は、閉じた構成Ｗ′から閉じた運搬構成Ｗに向けて、すなわち、矢印Ｆ２の方向へ脚部４の回転において位置決めエレメント２１に最初に接触するよう意図された連結歯状突起６０の壁を意味する。
【００８５】
ガイド前面壁６１は、８度から２５度の、好適には図１０で示されたような約１１度の傾斜角度βで三脚台２に対するヒンジ留め端部４Ａの回転の円周に対して傾斜されている。
【００８６】
ロック壁６２は、連結歯状突起２１に係合するとともに三脚台２に対して脚部４をロックするために、三脚台２に対するヒンジ留め端部４Ａの回転の円周に対して横に配置されている。
【００８７】
有利には、図示された説明では、ロック壁６２は、三脚台２に対するヒンジ留め端部４Ａの回転の円周におけるほぼ半径方向へ配置されている。
【００８８】
連結歯状突起６における前面壁６１とロック壁６２、および、位置決めエレメント２１における近接壁２２と末端壁２３を成形かつ配置することにより、閉じた運搬構成Ｗから閉じた構成Ｗ′に向けて脚部４の回転を容易にして、逆の場合も同じであり、以下でより適切に説明されるように、閉じた構成Ｗ′から閉じた運搬構成Ｗに向けて脚部４の回転を防止することを可能にする。
【００８９】
特に、このような成形により、三脚の使用者が、閉じた運搬構成Ｗから閉じた構成Ｗ′に向けて脚部４を回転可能にするためにロック装置５０を作動しなければならないのを回避することを可能にする一方、そのような成形により、使用者が、以下でより適切に説明されるように、閉じた構成Ｗ′から閉じた運搬構成Ｗに向けて脚部４を回転可能にするように位置決め装置２０から離れてロック装置を動かすためロック装置５０を作動することを必要とする。
【００９０】
閉じた運搬構成Ｗと閉じた構成Ｗ′とからの回転では、前壁６１と近接壁２２とが互いに亘ってスライドし、それらの互いの傾斜がそのようなスライドを可能にしている。
【００９１】
さらに、近接壁２２は、長手軸Ｙに対して傾斜され、長手軸Ｙに沿って連結歯状突起６０を動かすため一種の傾斜ランプ（傾斜路）を構成している。
【００９２】
さらに、近接壁２２と前面壁６１との互いの形状は、長手軸Ｙに沿って連結歯状突起６０に対して徐々に増大する圧力を生成し、そのような圧力が連結歯状突起６０を位置決め装置２０から離れて徐々に押すことを可能にする。
【００９３】
それに反して、閉じた構成Ｗ′から閉じた運搬構成Ｗに向けての回転において、ロック壁６２は末端壁２３に衝突する。
【００９４】
ロック壁６２は末端壁２３と実際上平行に配置され、両者は長手軸Ｙと実際上平行に配置されている。
【００９５】
その結果、末端壁２３は、ロック壁６２用のブロック（障害物）を形成し、位置決め装置２０から自身を解放するために長手軸の方向へ連結歯状突起６０の動きを防止している。
【００９６】
連結歯状突起６０はまた接触壁６３を備え、当該接触壁は、長手軸Ｙに対して横に配置されるとともに、以下でより適切に説明されるように、ロック装置５０の連結エレメント５３を当接部分で受け入れるよう意図されている。
【００９７】
好適には、接触壁６３は、長手軸Ｙに対して垂直に配置されている。
【００９８】
ロック装置５０は作動装置５１を備え、その作動装置は、脚部４のヒンジ留め端部４Ａに設けられ、三脚台２に対して脚部４をロック／解除するために位置決め装置２０に対して連結歯状突起６０を動けるように脚部４の長手軸Ｙに沿って並進運動方法で移動可能である。
【００９９】
作動装置５１は、ヒンジ留めスリーブ１３上で位置決めされ、その側方面「Ｓｌ」の上に、すなわち、回転軸Ｘに対して横に対向する面の上に設けられている。
【０１００】
図示された説明では、作動装置５１は、ヒンジ留めスリーブ１３のアーム１７のうちの１つに設けられ、それらのアームは、それぞれのヒンジ留めスリーブ１３の側方面「Ｓｌ」を規定構成する。
【０１０１】
それぞれのヒンジ留めスリーブ１３の側方面「Ｓｌ」は、回転軸Ｘに対して横に対向する面である。
【０１０２】
ヒンジ留めスリーブの２つの前面は、閉じた運搬構成Ｗおよび閉じた構成Ｗ′のそれぞれにおいて三脚台２に対向している。
【０１０３】
図示された説明では、作動装置５１は、ロック装置５０を並進移動させるように操作者によって作動されるよう意図された作動ボタン５２と、作動ボタン５２と一緒に移動されるために作動ボタン５２と一体である連結エレメント５３との形式である。
【０１０４】
ヒンジ留めスリーブ１３には、脚部４をロック／解除するために作動矢印Ｆ３の両方向へ長手軸Ｙに沿って作動ボタン５２の並進運動を可能にするように成形された移動キャビティ１３Ａがある。
【０１０５】
不図示の説明では、作動装置は、連結エレメントと一体であるとともにヒンジ留めスリーブの２つの対向する側方面の上に配列された２つの異なる作動ボタンを備えている。
【０１０６】
この説明は、使用者の同じ手の人差し指と親指との両方でロック装置を作動することが可能であるという点で、三脚のとりわけ平易な動作を可能にする。
【０１０７】
有利には、１つ以上の作動ボタンと連結歯状突起とは、単一の部材で形成されている。
【０１０８】
連結エレメント５３は、ヒンジ留め軸Ｘとほぼ平行な方向へヒンジ留めスリーブ１３の内部に伸びている。
【０１０９】
連結エレメント５３は、連結歯状突起６１の接触壁６３に接触するよう意図されたスラスト壁５４を備えている。
【０１１０】
好適には、スラスト壁５４と接触壁６３は、成形連結方法で連結するように成形されている。
【０１１１】
スラスト壁５４と接触壁６３との成形および位置決めは、連結歯状突起６０および作動装置５１が、以下でより適切に説明されるように、長手軸Ｙに沿って移動中では一体化するようになっている。
【０１１２】
不図示の説明では、連結エレメント５３と連結歯状突起６０は互いに固定され得る。
【０１１３】
不図示の別の説明では、連結エレメント５３と連結歯状突起６０は単一部材で作られ得る。
【０１１４】
ロック装置５０はまた、三脚台に対して脚部４をロックするために位置決め装置２０に向けて連結歯状突起６０を押すよう意図されたスラスト装置５６を備えている。
【０１１５】
図示された説明ではスラスト装置５６は作動装置５１と異なっているが、不図示の他の説明ではスラスト装置５６は作動装置５１と一体化され得る。
【０１１６】
作動装置５１は、脚部４を解放するように位置決め装置２０から離れて連結歯状突起６０を動かすために操作者によって作動され得るのに対し、スラスト装置５６は、脚部４をロックするために位置決め装置２０に向けて連結歯状突起６０を平行移動させている。
【０１１７】
スラスト装置５６は、連結歯状突起６０とロケータプレート５７とのそれぞれに対向する２つの端部で固定されたスプリング５５を備え、当該プレートは、ヒンジ留めスリーブ１３の空洞１５の内部で固定されている。
【０１１８】
連結歯状突起６０とロケータプレート５７との間に操作的に介在されたスプリング５５は、位置決め装置２０に向けて連結歯状突起６０を押すように構成されている。
【０１１９】
スプリング５６は、有利には、脚部４の長手軸Ｙに沿って引き伸ばされる。
【０１２０】
プレート５７は、接触壁１６と管状本体４０との間のヒンジ留めスリーブ１３の内部でロックされている。
【０１２１】
１つ以上の作動ボタンは、連結歯状突起とともに１つの部材で製造され得る。
【０１２２】
不図示の別の説明では、スラスト装置は、ロック装置を位置決め装置に係合するために三脚台に向けて移動キャビティ内に１つ以上の作動ボタンを移動することにより当該作動ボタンに直接作用するように成形されている。
【０１２３】
特に、スプリングまたは同様な（類似の）スラストエレメントは、１つ以上の作動ボタンに直接固定され得る。
【０１２４】
不図示の別の説明では、スラスト装置は、連結歯状突起を動かして位置決め装置と係合することにより当該連結歯状突起に直接作用するように成形されている。
【０１２５】
特に、スプリングまたは同様なスラストエレメントは、連結歯状突起に直接的に固定され得る。
【０１２６】
不図示の他の説明では、図示されたものと異なるスラスト装置を設けることができる。
【０１２７】
図１は、閉じた運搬構成Ｗにおける三脚１を示し、その閉じた運搬構成では、上述されたように、慣例によって指し示され約０度に等しい角度α′で軸Ｚと実際上平行に脚部４が位置決めされている。
【０１２８】
脚部４は、相互におよび支柱８と実際上平行に配列され、プレート９と一緒に支柱は、脚部４によって占有された空間の内部に位置決めされている。
【０１２９】
この構成では、連結歯状突起６１は、位置決め装置のスライド面２７に抗してスラスト装置５６により押されている。
【０１３０】
このスライド面２７は、閉じた運搬構成Ｗから離れて脚部４の回転を可能にするように成形されている。
【０１３１】
閉じた運搬構成Ｗから、使用者は、脚部４を約１８０度回転し、それらの脚部を閉じた構成Ｗ′にもたらすことができ、および／または、所望の中間動作構成Ｋにそれらの脚部をもたらすために１８０度未満である所望の回転角度αまで当該脚部をもたらすことができる。
【０１３２】
閉じた運搬構成Ｗから脚部４を回転するために、使用者は、脚部４を把持し、この構成から離してそれらの脚部を回転できる。
【０１３３】
上述したように、位置決め装置２０およびロック装置５０は、閉じた運搬構成Ｗから離れて閉じた構成Ｗ′へ脚部４の回転を可能にするように成形されている。
【０１３４】
この回転では、連結歯状突起６１は、スライド面２７および／または位置決めエレメント２１の上でスライドし、当該スライドは実質的に妨害されない状態でなされる。
【０１３５】
従って、閉じた運搬構成Ｗから離れて閉じた構成Ｗ′に向けて回転を実行するために、三脚台２から離れて連結歯状突起６０を押すように作動装置５１を働かす必要がない。
【０１３６】
これが意味することは、ある場合には、閉じた運搬構成Ｗから離れて脚部４の回転が重力および脚部自身の重さによって引き起こされまたは少なくとも容易にされ得ることである。
【０１３７】
この場合には、使用者は、支柱８を把持して三脚１を位置決めし、衝撃を脚部４に伝えるヒンジピン６よりも高い位置に脚部４の重力中心を配置するようにしている。
【０１３８】
その結果、重力と使用者によってもたらされる衝撃との影響により、脚部４は、閉じた運搬構成Ｗから離れて三脚台２の回りで回転できる。
【０１３９】
操作者は、所望の動作構成Ｋ１、Ｋ２、Ｋ３に三脚を位置決めしたい場合、必要な程度まで脚部４を回転し、地面に三脚を位置決めする。
【０１４０】
動作構成Ｋ１、Ｋ２、Ｋ３では、連結歯状突起６０は、位置決め装置２０に抗して当接部分でスラスト装置５６により押され、所望の動作構成で三脚１をロックする。
【０１４１】
上述されたように、連結歯状突起６０がそれぞれの位置決めエレメント２１の末端壁２３に当接するので、位置決めエレメント２１と連結歯状突起６との形状により閉じた運搬構成Ｗに向けて脚部４の回転が防止される一方、三脚の重さが閉じた構成Ｗ′に向けて反対回転を防止する。
【０１４２】
その結果、動作構成Ｋ１、Ｋ２、Ｋ３における三脚の位置決めは特に安定する。
【０１４３】
一例として、これから、対応する角度α３でスライド軸Ｚに対して脚部４が傾斜されている中間動作構成Ｋ３において、図９で示された調節装置３０の配置についての記述が続く。
【０１４４】
この動作構成Ｋ３では、三脚１の脚部４は、角度α３で三脚台２に対してバラバラに広げられ、プレート９に対して反対側に前記三脚台に関して位置決めされている。
【０１４５】
連結歯状突起６１は、スラスト装置５６により押されて位置決めエレメント２１の末端壁と係合している。
【０１４６】
これは、動作構成Ｋ３から閉じた運搬構成Ｗに向けて脚部４の回転を阻止する。
【０１４７】
動作構成Ｋ３から閉じた運搬構成Ｗに向けて脚部４を動かすために、操作者は、脚部を三脚台２から離して押すとともに作動矢印Ｆ３の方向へ脚部を並進移動させる作動ボタン５２を働かせなければならない。
【０１４８】
これは、三脚台２から離れて連結エレメント５３の並進移動を引き起こす。
【０１４９】
連結エレメント５３は、三脚台２から離れて連結歯状突起６０を押し、図１０で示されるように、位置決めエレメント２１から連結歯状突起を解放する。
【０１５０】
連結歯状突起６０を動かすために、使用者は、スラスト装置５６により連結歯状突起６０の上に生成されるとともに位置決め装置２０との係合状態で連結歯状突起６０を押す力より大きな対抗力を作動ボタン５２に及ぼさなければならない。
【０１５１】
連結装置５０を位置決め装置２０から解放することにより、スプリング５５の圧縮が、図１０で示されるように、生成される。
【０１５２】
作動ボタン５２の上での押圧を維持することにより、使用者は、脚部４を回転し、それを所望の動作構成Ｋにもたらす。
【０１５３】
操作者は、閉じた運搬構成Ｗ′に脚部４をもたらすために動作構成Ｋから当該脚部を動かすことを決めたならば、地面または静止面から脚部４を持ち上げ、作動ボタン５２に力を及ぼすことによってヒンジピン６の回りでその脚部を回転して位置決め装置２０から連結歯状突起６０を解放するようにしている。
【０１５４】
従って、本考案は、上述された技術的問題点を解決し、多くの有利点を得ることを可能にする。
【０１５５】
本考案のため、簡単かつ素早く展開および閉鎖できる三脚を得られる。
【０１５６】
さらに、安定した位置決めを備える三脚が得られる。
【図１】
0003220743.tif 000003
【図２】
0003220743.tif 000004
【図３】
0003220743.tif 000005
【図４】
0003220743.tif 000006
【図５】
0003220743.tif 000007
【図６】
0003220743.tif 000008
【図７】
0003220743.tif 000009
【図８】
0003220743.tif 000010
【図９】
0003220743.tif 000011
【図１０】
0003220743.tif 000012
【手続補正書】
【提出日】平成30年12月27日(2018.12.27)
【手続補正１】
【補正対象書類名】実用新案登録請求の範囲
【補正対象項目名】全文
【補正方法】変更
【補正の内容】
【実用新案登録請求の範囲】
【請求項１】
ビデオ／写真機材用の支持三脚（１）であって、
三脚台（２）と、
ビデオ／写真機材を連結する手段を備え、前記三脚台（２）において規定される開口（７）内でスライド軸（Ｚ）に沿ってスライド可能である支柱（８）と、
前記三脚（１）を開閉するように前記三脚台（２）に対して第１ヒンジ留め端部（４Ａ）でヒンジ留めされた複数の脚部（４）であって、それぞれの脚部（４）は長手軸（Ｙ）に沿って主として伸びる本体を備えており、前記長手軸（Ｙ）に対してほぼ垂直であるヒンジ留め軸（Ｘ）の回りに回転可能であり、前記脚部（４）が前記スライド軸（Ｚ）と実際上平行に配列された閉じた構成（Ｗ、Ｗ′）と、前記脚部が所望の開口角度（α、α１、α２、α３）まで前記スライド軸（Ｚ）に対して傾斜された少なくとも１つの動作構成（Ｋ、Ｋ１、Ｋ２、Ｋ３）との間で移動されるように前記三脚台（２）を貫通しており、それぞれの脚部（４）は前記スライド軸（Ｚ）に対する前記脚部（４）の角度位置を調節するための調節装置（３０）を設けられている複数の脚部と、
を備え、
前記調節装置（３０）は、前記三脚台に設けられた位置決め装置（２０）と、前記脚部（４）に設けられるとともに、前記スライド軸（Ｚ）に対して所望の角度位置（α）で前記脚部（４）をロックするために前記位置決め装置（２０）に係合するように前記三脚台（２）に対して移動可能であるロック装置（５０）とを備え、
前記ロック装置（５０）は、回転の前記軸（Ｘ）に対して横断する前記脚部（４）の側方面（Ｓｌ）で前記第１ヒンジ留め端部（４Ａ）に設けられた作動エレメント（５１、５２、５３）を備え、
前記作動エレメントは、前記脚部（４）をロック／解除するために前記位置決め装置（２０）に対して前記ロック装置（５０）を動かすように前記脚部（４）の長手軸（Ｙ）に沿って並進運動方法で移動可能であることを特徴とする支持三脚。
【請求項２】
請求項１記載の支持三脚において、
前記脚部（４）は、前記本体（４０）に嵌合されるとともに、前記三脚台（２）に対して前記脚部（４）のヒンジ留めを可能にするよう意図されたヒンジ留めスリーブ（１３）を備え、
前記ヒンジ留めスリーブ（１３）は、円筒状基部（１４）と、前記脚部（４）の前記長手軸（Ｙ）に沿って前記円筒状基部（１４）から伸びる２つのアーム（１７）とを備え、
前記アーム（１７）は、フォーク状の本体を規定するように互いに対向し、前記ヒンジ留めスリーブ（１３）の前記側方面（Ｓｌ）を規定する、支持三脚。
【請求項３】
請求項１または２に記載の支持三脚において、
前記調節装置（３０）は、前記脚部（４）が前記スライド軸（Ｚ）と実際上平行に配列されるとともに前記脚部（４）および前記支柱（８）が前記三脚台（２）の反対側に位置決めされた閉じた構成（Ｗ′）と、前記支柱（８）が前記脚部（４）によって占有された空間内に位置決めされた閉じた運搬構成（Ｗ）との間で前記脚部（４）を回転可能であるように意図され、
前記脚部（４）は、前記閉じた構成（Ｗ′）と前記閉じた運搬構成（Ｗ）との間で約１８０度まで回転される、支持三脚。
【請求項４】
請求項３に記載の支持三脚（１）において、
前記位置決め装置（２０）は、前記三脚の前記少なくとも１つの動作構成を規定する少なくとも１つの位置決めエレメント（２１）を備え、当該動作構成では前記閉じた運搬構成（Ｗ）において前記脚部（４）の位置から測定される１８０度未満、好適には９０度から１８０度の角度（α）まで前記スライド軸（Ｚ）に対して前記脚部（４）が傾斜されている、支持三脚。
【請求項５】
請求項３に記載の支持三脚（１）において、
前記位置決め装置（２０）は、前記三脚台（２）の回りに前記第１ヒンジ留め端部（４Ａ）の回転方向に沿って円周上に互いに後に続くとともに、前記三脚（１）の異なる動作構成（Ｋ１、Ｋ２、Ｋ３）を規定する複数の位置決めエレメント（２１）を備えている、支持三脚。
【請求項６】
請求項４に記載の支持三脚（１）において、
前記少なくとも１つの位置決めエレメント（２１）は、前記閉じた運搬構成（Ｗ）から離れて回転されるとき前記ロック装置（５０）を前記位置決め装置（２０）に亘ってスライド可能であるように成形された近接壁（２２）と、前記閉じた運搬構成（Ｗ）に向けての回転を阻害するために前記ロック装置（５０）が前記位置決め装置（２０）に亘ってスライドするのを防止するように成形された対向末端壁（２３）とを備えている、支持三脚。
【請求項７】
請求項４または６に記載の支持三脚（１）において、
前記ロック装置（５０）は、前記脚部（４）を解放／ロックするために前記少なくとも１つの位置決めエレメント（２１）と係合／非係合するように前記長手軸（Ｙ）に沿って移動され得る連結歯状突起（６０）を備えている、支持三脚。
【請求項８】
請求項７に記載の支持三脚（１）において、
前記作動エレメント（５１）は、前記脚部（４）の前記側方面（Ｓｌ）に設けられた少なくとも１つの作動ボタン（５２）と、前記作動ボタン（５２）と一緒に動くとともに、前記位置決めエレメント（２１）から離れて前記脚部を動かすために前記連結歯状突起（６０）を設置するよう意図された作動エレメント（５３）とを備えている、支持三脚。
【請求項９】
請求項７または８に記載の支持三脚（１）において、
前記作動エレメント（５３）と前記連結歯状突起（６０）は、成形連結方法で連結されるとともに、前記作動エレメント（５１）と前記連結歯状突起（６０）が前記長手軸（Ｙ）に沿って並進運動中に一体化するように構成されたスラスト面（５４、６３）がそれぞれ設けられている、支持三脚。
【請求項１０】
請求項８または９に記載の支持三脚（１）において、
前記連結歯状突起（６０）と前記作動ボタン（５２）は、互いに一体的に形成されている、支持三脚。
【請求項１１】
請求項７〜１０の何れか一項に記載の支持三脚（１）において、
前記作動エレメント（５１）は、前記三脚台から前記脚部（４）を解放するために前記位置決め装置（２０）から離れて前記ロック装置（５０）を動かすよう意図され、前記ロック装置（５０）は、前記脚部（４）をロックするために前記ロック装置（５０）を前記位置決め装置（２０）との係合に追いやるように配置されたスラスト装置（５６）を備えている、支持三脚。
【請求項１２】
請求項１１に記載の支持三脚（１）において、
前記スラスト装置（５６）は、前記作動エレメント（５１）から分離している、支持三脚。
【請求項１３】
請求項１０に記載の支持三脚（１）において、
前記スラスト装置（５６）は、前記作動エレメント（５１）に組み入れられている、支持三脚。
【請求項１４】
請求項１１に記載の支持三脚（１）において、
前記スラスト装置（５６）は、前記連結歯状突起（６０）に組み入れられている、支持三脚。
【請求項１５】
請求項１１〜１４の何れか一項に記載の支持三脚（１）において、
前記スラスト装置（５６）は、前記連結歯状突起（６０）と、前記脚部（４）の範囲内で固定されたロケータプレート（５７）とにそれぞれ２つの対向する端部で固定されたスプリング（５５）を備えている、支持三脚。
【手続補正書】
【提出日】平成31年2月4日(2019.2.4)
【手続補正１】
【補正対象書類名】実用新案登録請求の範囲
【補正対象項目名】全文
【補正方法】変更
【補正の内容】
【実用新案登録請求の範囲】
【請求項１】
ビデオ／写真機材用の支持三脚（１）であって、
三脚台（２）と、
ビデオ／写真機材を連結する手段を備え、前記三脚台（２）において規定される開口（７）内でスライド軸（Ｚ）に沿ってスライド可能である支柱（８）と、
前記三脚（１）を開閉するように前記三脚台（２）に対して第１ヒンジ留め端部（４Ａ）でヒンジ留めされた複数の脚部（４）であって、それぞれの脚部（４）は長手軸（Ｙ）に沿って主として伸びる本体を備えており、前記長手軸（Ｙ）に対してほぼ垂直であるヒンジ留め軸（Ｘ）の回りに回転可能であり、前記脚部（４）が前記スライド軸（Ｚ）と実際上平行に配列された閉じた構成（Ｗ、Ｗ′）と、前記脚部が所望の開口角度（α、α１、α２、α３）まで前記スライド軸（Ｚ）に対して傾斜された少なくとも１つの動作構成（Ｋ、Ｋ１、Ｋ２、Ｋ３）との間で移動されるように前記三脚台（２）を貫通しており、それぞれの脚部（４）は前記スライド軸（Ｚ）に対する前記脚部（４）の角度位置を調節するための調節装置（３０）を設けられている複数の脚部と、
を備え、
前記調節装置（３０）は、前記三脚台に設けられた位置決め装置（２０）と、前記脚部（４）に設けられるとともに、前記スライド軸（Ｚ）に対して所望の角度位置（α）で前記脚部（４）をロックするために前記位置決め装置（２０）に係合するように前記三脚台（２）に対して移動可能であるロック装置（５０）とを備え、
前記ロック装置（５０）は、回転の前記軸（Ｘ）に対して横断する前記脚部（４）の側方面（Ｓｌ）で前記第１ヒンジ留め端部（４Ａ）に設けられた作動エレメント（５１、５２、５３）を備え、
前記作動エレメントは、前記脚部（４）をロック／解除するために前記位置決め装置（２０）に対して前記ロック装置（５０）を動かすように前記脚部（４）の長手軸（Ｙ）に沿って並進運動方法で移動可能であることを特徴とする支持三脚。
【請求項２】
請求項１記載の支持三脚において、
前記脚部（４）は、前記本体（４０）に嵌合されるとともに、前記三脚台（２）に対して前記脚部（４）のヒンジ留めを可能にするよう意図されたヒンジ留めスリーブ（１３）を備え、
前記ヒンジ留めスリーブ（１３）は、円筒状基部（１４）と、前記脚部（４）の前記長手軸（Ｙ）に沿って前記円筒状基部（１４）から伸びる２つのアーム（１７）とを備え、
前記アーム（１７）は、フォーク状の本体を規定するように互いに対向し、前記ヒンジ留めスリーブ（１３）の前記側方面（Ｓｌ）を規定する、支持三脚。
【請求項３】
請求項１または２に記載の支持三脚において、
前記調節装置（３０）は、前記脚部（４）が前記スライド軸（Ｚ）と実際上平行に配列されるとともに前記脚部（４）および前記支柱（８）が前記三脚台（２）の反対側に位置決めされた閉じた構成（Ｗ′）と、前記支柱（８）が前記脚部（４）によって占有された空間内に位置決めされた閉じた運搬構成（Ｗ）との間で前記脚部（４）を回転可能であるように意図され、
前記脚部（４）は、前記閉じた構成（Ｗ′）と前記閉じた運搬構成（Ｗ）との間で約１８０度まで回転される、支持三脚。
【請求項４】
請求項３に記載の支持三脚（１）において、
前記位置決め装置（２０）は、前記三脚の前記少なくとも１つの動作構成を規定する少なくとも１つの位置決めエレメント（２１）を備え、当該動作構成では前記閉じた運搬構成（Ｗ）において前記脚部（４）の位置から測定される１８０度未満、好適には９０度から１８０度の角度（α）まで前記スライド軸（Ｚ）に対して前記脚部（４）が傾斜されている、支持三脚。
【請求項５】
請求項３に記載の支持三脚（１）において、
前記位置決め装置（２０）は、前記三脚台（２）の回りに前記第１ヒンジ留め端部（４Ａ）の回転方向に沿って円周上に互いに後に続くとともに、前記三脚（１）の異なる動作構成（Ｋ１、Ｋ２、Ｋ３）を規定する複数の位置決めエレメント（２１）を備えている、支持三脚。
【請求項６】
請求項４に記載の支持三脚（１）において、
前記少なくとも１つの位置決めエレメント（２１）は、前記閉じた運搬構成（Ｗ）から離れて回転されるとき前記ロック装置（５０）を前記位置決め装置（２０）に亘ってスライド可能であるように成形された近接壁（２２）と、前記閉じた運搬構成（Ｗ）に向けての回転を阻害するために前記ロック装置（５０）が前記位置決め装置（２０）に亘ってスライドするのを防止するように成形された対向末端壁（２３）とを備えている、支持三脚。
【請求項７】
請求項４または６に記載の支持三脚（１）において、
前記ロック装置（５０）は、前記脚部（４）を解放／ロックするために前記少なくとも１つの位置決めエレメント（２１）と係合／非係合するように前記長手軸（Ｙ）に沿って移動され得る連結歯状突起（６０）を備えている、支持三脚。
【請求項８】
請求項７に記載の支持三脚（１）において、
前記作動エレメント（５１）は、前記脚部（４）の前記側方面（Ｓｌ）に設けられた少なくとも１つの作動ボタン（５２）と、前記作動ボタン（５２）と一緒に動くとともに、前記位置決めエレメント（２１）から離れて前記脚部を動かすために前記連結歯状突起（６０）を設置するよう意図された作動エレメント（５３）とを備えている、支持三脚。
【請求項９】
請求項８に記載の支持三脚（１）において、
前記作動エレメント（５３）と前記連結歯状突起（６０）は、成形連結方法で連結されるとともに、前記作動エレメント（５１）と前記連結歯状突起（６０）が前記長手軸（Ｙ）に沿って並進運動中に一体化するように構成されたスラスト面（５４、６３）がそれぞれ設けられている、支持三脚。
【請求項１０】
請求項８に記載の支持三脚（１）において、
前記連結歯状突起（６０）と前記作動ボタン（５２）は、互いに一体的に形成されている、支持三脚。
【請求項１１】
請求項７〜１０の何れか一項に記載の支持三脚（１）において、
前記作動エレメント（５１）は、前記三脚台から前記脚部（４）を解放するために前記位置決め装置（２０）から離れて前記ロック装置（５０）を動かすよう意図され、前記ロック装置（５０）は、前記脚部（４）をロックするために前記ロック装置（５０）を前記位置決め装置（２０）との係合に追いやるように配置されたスラスト装置（５６）を備えている、支持三脚。
【請求項１２】
請求項１１に記載の支持三脚（１）において、
前記スラスト装置（５６）は、前記作動エレメント（５１）から分離している、支持三脚。
【請求項１３】
請求項１１に記載の支持三脚（１）において、
前記スラスト装置（５６）は、前記作動エレメント（５１）に組み入れられている、支持三脚。
【請求項１４】
請求項１１に記載の支持三脚（１）において、
前記スラスト装置（５６）は、前記連結歯状突起（６０）に組み入れられている、支持三脚。
【請求項１５】
請求項１１〜１４の何れか一項に記載の支持三脚（１）において、
前記スラスト装置（５６）は、前記連結歯状突起（６０）と、前記脚部（４）の範囲内で固定されたロケータプレート（５７）とにそれぞれ２つの対向する端部で固定されたスプリング（５５）を備えている、支持三脚。